【手続補正書】
【提出日】平成15年7月29日(2003.7.29)
【手続補正１】
【補正対象書類名】明細書
【補正対象項目名】全文
【補正方法】変更
【補正の内容】
【発明の名称】高周波加熱装置
【特許請求の範囲】
【請求項１】開閉するドアを有する加熱室と、この加熱室内を加熱する加熱源と、この加熱源の動作を設定するキー入力手段と、前記ドアの開成／閉塞の遷移を検出するドア開閉検出手段と、前記キー入力手段の設定に基づいて前記加熱源を制御する制御手段と、この制御手段の電源を供給する電源手段と、商用電源と前記電源手段との間に介設された電力開閉手段とを備え、
前記制御手段は、電源が供給されることにより動作すると共に、前記電力開閉手段をＯＮさせる信号を出力し、所定時間、前記ドア開閉検出手段の動作状態が遷移しないときは、前記電力開閉手段をＯＦＦさせる信号を出力する構成としたことを特徴とする高周波加熱装置。
【請求項２】ドア開閉検出手段は、ドアの開成／閉塞の遷移を検知したとき、商用電源と電源手段を接続することを特徴とする請求項１記載の高周波加熱装置。
【請求項３】加熱室の扉が半開のときにＯＮとなり、前記扉が全閉、全開のときにＯＦＦとなるドアスイッチ手段と、
前記ドアスイッチ手段がＯＦＦとなったときから、あらかじめ定められた時間経過後に制御回路の電源をＯＦＦとする電力開閉手段と、
を備えたことを特徴とする高周波加熱装置。
【請求項４】ドアスイッチ手段は、出没自在のノブを有するドアスイッチと、
加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、
を備え、
前記スイッチノブ当接部は、前記スイッチノブ当接部の中間に設けられ、前記扉が半開のときに前記ノブを突出させ、前記ドアスイッチをＯＮとするための凹部と、前記扉が全開のときに前記ノブを押してＯＦＦとする押し部と、
を有することを特徴とする請求項３記載の高周波加熱装置。
【請求項５】ドアスイッチ手段は、出没自在のノブを有するドアスイッチと、
加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、
前記スイッチノブ当接部に設けられた一対の凸部と、
を備え、前記扉が半開のときに前記ノブが前記一対の凸部の間に突出し、前記ドアスイッチをＯＮとし、前記扉が全開のときに前記凸部が前記ノブを押してＯＦＦとすることを特徴とする請求項３記載の高周波加熱装置。
【請求項６】ドアスイッチ手段は、直列に接続され、出没自在のノブを有する第１、第２のドアスイッチと、
加熱室の外部側壁に回転自在に支持され、上方に延設し、扉に当接する突出部を有する第１のレバーと、下方へ延設し前記第１のドアスイッチのノブを出没させる第２のレバーと、前記第１、第２のレバーに略垂直方向に延設し前記第２のドアスイッチのノブを出没させる第３のレバーを有する回転レバーと、
を備え、前記扉が半開のときに、前記第２、第３のレバーが前記第１、第２のドアスイッチのノブが突出する位置になり、第１、第２のドアスイッチをＯＮとし、  前記扉が全開のときに、前記第２のレバーが前記第１のドアスイッチのノブが突出する位置になり、第１のドアスイッチをＯＮとするとともに、前記第３のレバーが前記第２のドアスイッチのノブを押す位置になり、第２のドアスイッチをＯＦＦとすることを特徴とする請求項３記載の高周波加熱装置。
【発明の詳細な説明】
【０００１】
【発明の属する技術分野】
この発明は、マイクロコンピュータ等を備えた制御回路の電源を制御する高周波加熱装置に関するものである。
【０００２】
【従来の技術】
図１２は従来の高周波加熱装置の要部縦断面図、図１３はそのドアの開放状態図である。図において１は本体、２は前記本体１に設けた一方に開口部を有する加熱室、３は前記加熱室２の開口部を開閉するドア、このドア３は本体１の下部にアーム４で連結枢支され、本体１内のコイルバネ（図示せず）により、常時閉方向に付勢されている。５は前記ドア３の上部外面に設けたハンドル、６は前記ドア３を介してハンドル５と対向して設けた突起である。７は前記加熱室２の外部壁に固着され上部に突出したストッパー７ａを有する支持台、８は回転レバーで、回転軸９により前記支持台７に回転自在に枢支されている。前記回転レバー８は、回転軸９より上方に延設した先端に突出部８ａを有するレバー（ａ）８ｂと、下方へ延設したレバー（ｂ）８ｃと前記レバー（ａ）８ｂとレバー（ｂ）８ｃに略垂直方向に延設したレバー（ｃ）８ｄで構成されている。１０は上面を前記レバー（ｂ）８ｃの先端に当接配置したドアスイッチ（ａ）であり、ノブ１０ａを出没自在に備えている。
１１は前記回転レバー（ｃ）８ｄの先端部に当接配置されたラッチスイッチであり、ノブ１１ａを出没自在に備えている。１２は前記回転レバー８のレバー（ａ）８ｂを前記ドア３側へ付勢するコイルバネである。
【０００３】
また、図１４は従来の高周波加熱装置のドア閉で電源投入時の回路図であり、図において、１３は商用電源、１４は電流ヒューズ、１１は前述のドア３が開いたときにＯＦＦし、閉じたときＯＮする一対のラッチスイッチ、１５はドアが開いたとき接点ａと接続し、ドアが閉じたときは接点ｂと接続する副ドアスイッチで、ドア開放時にラッチスイッチ１１の接点が溶着してＯＦＦしなかったとき、電流ヒューズ１４を溶断するためのものである。１６は調理中に加熱室２内を照らすランプ、１７は加熱室２内底部に配設したターンテーブル（図示せず）を回転させるテーブルモータ、１８は高周波発生源１９に直列に接続されたリレー、２０は各加熱ヒータ２１にそれぞれ直列に接続されたリレー、２２は後述する制御回路の制御に基づいて商用電源１３の負荷回路をＯＮ／ＯＦＦするリレーである。２３は高周波発生源１９に並列に接続されたファンモータ、１０はドアが開いたときＯＮし、閉じたときＯＦＦするドアスイッチ（ａ）、２４はこのドアスイッチ１０に並列に接続されたリレーで、制御回路の制御に基づいて制御電源をＯＮ／ＯＦＦする。
【０００４】
２５は制御回路で、マイクロコンピュータ２６と、商用電源１３の交流電圧を安定化した直流電圧に変換する電源回路２７と、外部操作に基づいて調理指令をマイクロコンピュータ２６に出力するキー入力検知回路２８と、ドアの開閉状態を検知するためのドアスイッチ検知回路２９と、マイクロコンピュータ２６の制御に応じてリレー１８、２０、２２、２４をＯＮ／ＯＦＦする出力回路３０とを備えている。
【０００５】
次に、前記のように構成された従来の高周波加熱装置の動作を図１５、図１６により説明する。図１５はドアスイッチ（ａ）１０及びリレー２４のＯＮ／ＯＦＦ制御に関した高周波加熱装置の動作を示すフローチャート、図１６は動作のタイミングチャートである。
【０００６】
まず、商用電源１３を投入する（ステップＳ１）。このとき、ドア３は閉状態なので（ステップＳ２）、ドアスイッチ（ａ）１０、リレー２４共にＯＦＦ状態である（ステップＳ３）。このドア３を開けると（ステップＳ４）、バネ１２の付勢力により回転レバー８が軸９を中心に回転し、レバー（ｃ）８ｄがラッチスイッチ１１からはずれノブ１１ａが突出し、一対のラッチスイッチ１１がＯＦＦすると同時に、副ドアスイッチ１５が接点ｂから接点ａに切り換わって商用電源１３と負荷側とを完全に切り離す。このとき、レバー（ｂ）８ｃがドアスイッチ（ａ）１０からずれてノーマルクローズ形のドアスイッチ（ａ）１０がＯＮし（ステップＳ５）、商用電源１３と制御回路２５の電源回路２７とを接続する。この接続により制御回路２５が起動すると、ドアスイッチ検知回路２９がドアの開放を検知してその情報をマイクロコンピュータ２６に出力し、マイクロコンピュータ２６はその情報が入力されたときリレー２４をＯＮすると共に（ステップＳ６）、マイクロコンピュータ２６内のタイマー２６ａに、一定のタイマ時間ｔ１（例えば１０分間）を設定して（ステップＳ７）待機する。
【０００７】
ここで、食品を加熱室２に入れてドア３を閉じると（ステップＳ８）、ドア３の突起６がレバー（ａ）８ｂの突出部８ａを押し、回転レバー８は軸９を中心に回転し戻されると、レバー（ｃ）８ｄがラッチスイッチ１１のノブ１１ａを押し、一対のラッチスイッチ１１がＯＮし、副ドアスイッチ１５が接点ａから接点ｂに切り換わる。同時に、レバー（ｂ）８ｃがドアスイッチ（ａ）１０のノブ１０ａを押してドアスイッチ（ａ）１０がＯＦＦする（ステップＳ９）。一方、マイクロコンピュータ２６が、その状態を、ドアスイッチ検知回路２９を通して検知すると、タイマー２６ａは設定したタイマ時間ｔ１のカウントダウンを開始する（ステップＳ１０）。このまま、タイマ時間ｔ１が経過すると、タイマ時間ｔ１がゼロとなり、出力回路３０を介してリレー２４をＯＦＦし（ステップＳ１１）、商用電源１３と電源回路２７とを切り離して、電源供給を停止する。上記の動作のタイミングチャートを図１６に示す。
【０００８】
タイマ時間ｔ１をカウントダウンする間にキー入力検知回路２８からの調理指令が入力されたときは（ステップＳ１２）、タイマ時間のカウントダウンを停止すると共に、その指令に基づく、例えば、高周波加熱であればリレー１８とリレー２２を、出力回路３０を介してＯＮし、ランプ１６及びテーブルモータ１７に電源を供給するとともに、高周波発生源１９及びファンモータ２３に電源を印加する（ステップＳ１３）。そして調理中ドア３を開けずに（ステップＳ１４）、  この高周波発生源１９の加熱調理による調理時間が経過すると、リレー１８とリレー２２をＯＦＦして調理を終了し（ステップＳ１５）、ただちにリレー２４をＯＦＦして、商用電源１３と電源回路２７とを切り離して、電源供給を停止する。
また、調理中にドア３を開けたときは（ステップＳ１４）、調理待機状態となる。そして再び、ドア３を閉じると（ステップＳ１７）、調理が再スタート（ステップＳ１８）する。
【０００９】
【発明が解決しようとする課題】
前述した従来の高周波加熱装置では、ドア３を開けている状態においては、リレー２４のＯＮ／ＯＦＦに関係なく、ドアスイッチ（ａ）１０がＯＮして制御回路２５に電源が常時印加されているため、電力が常時消費されてしまい、その間に消費される電力が無駄になる。
【００１０】
この発明は、かかる課題を解決するためになされたもので、無駄な消費電力をなくす高周波加熱装置を得ることを目的とする。
【００１１】
【課題を解決するための手段】
この発明に係わる高周波加熱装置は、開閉するドアを有する加熱室と、この加熱室内を加熱する加熱源と、この加熱源の動作を設定するキー入力手段と、前記ドアの開成／閉塞の遷移を検出するドア開閉検出手段と、前記キー入力手段の設定に基づいて前記加熱源を制御する制御手段と、この制御手段の電源を供給する電源手段と、商用電源と前記電源手段との間に介設された電力開閉手段とを備え、前記制御手段は、電源が供給されることにより動作すると共に、前記電力開閉手段をＯＮさせる信号を出力し、所定時間、前記ドア開閉検出手段の動作状態が遷移しないときは、前記電力開閉手段をＯＦＦさせる信号を出力する構成としたものである。
【００１２】
また、ドア開閉検出手段は、ドアの開成／閉塞の遷移を検知したとき、商用電源と電源手段を接続するものである。
【００１３】
また、加熱室の扉が半開のときにＯＮとなり、前記扉が全閉、全開のときにＯＦＦとなるドアスイッチ手段と、前記ドアスイッチ手段がＯＦＦとなったときから、あらかじめ定められた時間経過後に制御回路の電源をＯＦＦとする電力開閉手段と、を備える。
【００１４】
また、ドアスイッチ手段は、出没自在のノブを有するドアスイッチと、加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、を備え、前記スイッチノブ当接部は、前記スイッチノブ当接部の中間に設けられ、前記扉が半開のときに前記ノブを突出させ、前記ドアスイッチをＯＮとするための凹部と、前記扉が全開のときに前記ノブを押してＯＦＦとする押し部と、を有するものである。
【００１５】
また、ドアスイッチ手段は、出没自在のノブを有するドアスイッチと、加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、前記スイッチノブ当接部に設けられた一対の凸部と、を備え、前記扉が半開のときに前記ノブが前記一対の凸部の間に突出し、前記ドアスイッチをＯＮとし、前記扉が全開のときに前記凸部が前記ノブを押してＯＦＦとするものである。
【００１６】
また、ドアスイッチ手段は、直列に接続され、出没自在のノブを有する第１、第２のドアスイッチと、加熱室の外部側壁に回転自在に支持され、上方に延設し、扉に当接する突出部を有する第１のレバーと、下方へ延設し前記第１のドアスイッチのノブを出没させる第２のレバーと、前記第１、第２のレバーに略垂直方向に延設し前記第２のドアスイッチのノブを出没させる第３のレバーを有する回転レバーと、を備え、前記扉が半開のときに、前記第２、第３のレバーが前記第１、第２のドアスイッチのノブが突出する位置になり、第１、第２のドアスイッチをＯＮとし、  前記扉が全開のときに、前記第２のレバーが前記第１のドアスイッチのノブが突出する位置になり、第１のドアスイッチをＯＮとするとともに、前記第３のレバーが前記第２のドアスイッチのノブを押す位置になり、第２のドアスイッチをＯＦＦとするものである。
【００１７】
【発明の実施の形態】
実施の形態１．
図１はこの発明の実施形態１を示す高周波加熱装置の要部縦断面図、図２、図３はドア開閉の動作説明図、図４は動作のフローチャートである。なお、従来の技術と同一または相当部分には同じ符号を付し説明を省略する。
【００１８】
図において８ｂは第１のレバーであるレバー（ａ）８ｂ、８ｅは、第２のレバーであるレバー（ｂ）８ｃの先端に設けた凹部であり、凹部８ｅはドア３を開閉する際、ノーマルクローズ形のドアスイッチ（ａ）１０をＯＮと動作させるものである。８ｑ、８ｒはドアスイッチ（ａ）１０をＯＦＦと動作させる押し部である。
【００１９】
次に、前記のように構成された本実施形態１の高周波加熱装置の動作を図４、図５により説明する。図４はドアスイッチ（ａ）１０及びリレー２４のＯＮ／ＯＦＦ制御に関した高周波加熱装置の動作を示すフローチャート、図５、図６は動作のタイミングチャートである。
まず、商用電源１３を投入する（ステップＳ２１）。このとき、ドア３は閉状態なので（ステップＳ２２）、ドアスイッチ（ａ）１０、リレー２４共にＯＦＦ状態である（ステップＳ２３）。閉状態のドア３を少し開ける（半開放状態）と（ステップＳ２４）、回転レバー８が軸９を中心に回転し、レバー（ｃ）８ｄがラッチスイッチ１１からはなれ、ノブ１１ａが突出してラッチスイッチ１１がＯＦＦすると同時に、副ドアスイッチ１５が接点ｂから接点ａに切り換わって商用電源１３と負荷側とを完全に切り離す。この時、レバー（ｂ）８ｃが移動して、ノブ１０ａが凹部８ｅのところにくると、ノブ１０ａが突出するため、ドアスイッチ（ａ）１０がＯＮし（ステップＳ２５）、商用電源１３と制御回路２５の電源回路２７とを接続する。
この接続により、制御回路２５が起動すると、ドアスイッチ検知回路２９がドアの開放を検知して、その情報をマイクロコンピュータ２６に出力し、マイクロコンピュータ２６はその情報が入力されたときリレー２４をＯＮすると共に（ステップＳ２６）、タイマー２６ａにタイマ時間ｔ２（例えば１０分間）を設定して（ステップＳ２７）待機する。
【００２０】
次に、ドア３を開放状態にすると（ステップＳ２８）、再び、回転レバー８は回転し、凹部８ｅの次にレバー（ｂ）８ｃがドアスイッチ（ａ）１０のノブ１０ａを押し、ドアスイッチ（ａ）１０がＯＦＦする（ステップＳ２９）。一方、マイクロコンピュータ２６はその状態を、ドアスイッチ検知回路２９を通して検知すると、タイマー２６ａは先に設定したタイマ時間ｔ２のカウントダウンを開始する（ステップＳ３０）。このカウントダウンにより、タイマ時間ｔ２がゼロになったときは出力回路３０を介してリレー２４をＯＦＦし（ステップＳ３１）、商用電源１３と電源回路２７とを切り離して電源供給を停止する。
【００２１】
また、ドア３が開放状態にあるとき、食品を加熱庫２に入れてドア３を少し閉じると（ステップＳ３２）、ドア３の突起６がレバー（ａ）８ｂの突出部８ａを押し、回転レバー８は軸９を中心に回転し戻されると、凹部８ｅにノブ１０ａが突出してドアスイッチ（ａ）１０がＯＮとなる（ステップＳ３３）。このとき、タイマー２６ａはタイマ時間ｔ１（例えば１０分間）を設定して待機する。そして、ドア３を全閉すると（ステップＳ３４）、レバー（ｃ）８ｄがラッチスイッチ１１のノブ１１ａを押し、一対のラッチスイッチ１１がＯＮし、副ドアスイッチ１５が接点ａから接点ｂに切り換わる。同時に、レバー（ｂ）８ｃがドアスイッチ（ａ）１０のノブ１０ａを押してドアスイッチ（ａ）１０がＯＦＦする（ステップＳ３５）。上記の動作のタイミングチャートを図５に示す。
【００２２】
一方、マイクロコンピュータ２６は、その状態を、ドアスイッチ検出回路２９を通して検知すると、タイマー２６ａは先に設定したタイマ時間ｔ１のカウントダウンを開始する（ステップＳ３６）。このまま、先に設定したタイマ時間ｔ１が経過すると、タイマ時間ｔ１がゼロとなり、出力回路３０を介してリレー２４をＯＦＦし（ステップＳ３１）、商用電源１３と電源回路２７とを切り離して、電源供給を停止する。
【００２３】
そして、タイマ時間カウントダウンの間にキー入力検知回路２８からの調理指令が入力されたときは（ステップＳ３６）、タイマ時間ｔ１のカウントダウンを停止すると共に、その指令に基づく、例えば、高周波加熱であればリレー１８とリレー２２を、出力回路３０を介してＯＮし、ランプ１６及びテーブルモータ１７に電源を供給するとともに、高周波発生源１９及びファンモータ２３に電源を印加する（ステップＳ３７）。そして調理中ドア３を開けずに（ステップＳ３９）、この高周波発生源１９の加熱調理による調理時間が経過すると、リレー１８とリレー２２をＯＦＦして調理を終了し（ステップＳ４０）、ただちにリレー２４をＯＦＦして（ステップＳ４１）、商用電源１３と電源回路２７とを切り離して、電源供給を停止する。
【００２４】
また、調理中にドア３を全開すると（ステップＳ３９）、タイマー２６ａはタイマ時間ｔ２（例えば１０分間）を設定して、待機する。また、回転レバー８が回転し、レバー（ｂ）８ｃがドアスイッチ（ａ）１０のノブ１０ａを押し、ドアスイッチ（ａ）１０がＯＦＦする（ステップＳ４２）。同時に、調理待機状態となる（ステップＳ４３）。一方、マイクロコンピュータ２６はその状態を、ドアスイッチ検知回路２９を通して検知すると、タイマー２６ａはタイマ時間ｔ３のカウントダウンを開始する（ステップＳ４４）。このまま、先に設定したタイマ時間ｔ２が経過すると、タイマ時間ｔ２がゼロとなり、出力回路を介してリレー２４をＯＦＦし（ステップＳ４５）、商用電源１３と電源回路２７とを切り離して電源供給を停止する。また、再びドア３を閉じると（ステップＳ４６）、調理が再スタート（ステップＳ４７）する。
【００２５】
以上のように本実施形態においては、レバー（ｂ）８ｃに凹部８ｅの構造を設けることにより、ドア３が全開放時にはドアスイッチ（ａ）１０がＯＦＦするので、その際、一定時間経過すると電源が遮断でき、本装置の制御回路２５の電力消費を軽減できるという効果がある。
【００２６】
実施の形態２．
本実施の形態は、実施の形態１で示した回転レバー８のレバー（ｂ）８ｃの形状を変えたものである。図６（ａ）、（ｂ）、（ｃ）はこの発明の実施形態２を示す要部構成図を兼ねた動作説明図である。なお、従来技術と同一又は相当部分には同じ符号を付し、説明を省略する。
【００２７】
図において８ｆ、８ｇはレバー（ｂ）８ｃに設けられた一対の凸部であり、実施の形態１における凹部３８の代わりとなるものである。
図６（ａ）は、実施の形態１の図１に示すドア３が閉状態のときを示し、ドアスイッチ（ａ）１０のノブ１０ａが凸部８ｆに押された状態で、ドアスイッチ（ａ）がＯＦＦの状態である。
図６（ｂ）は、ドア３が半開放態のときを示し、ドアスイッチ（ａ）１０のノブ１０ａが凸部８ｆ、８ｇの間に位置するので、ノブ１０ａが突出し、ドアスイッチ（ａ）がＯＮの状態である。
図６（ｃ）は、ドア３が全開放状態のときを示し、ドアスイッチ（ａ）１０のノブ１０ａが凸部８ｇに押された状態で、ドアスイッチ（ａ）がＯＦＦの状態である。
【００２８】
このように、実施の形態１と同様な動作をするので、ドア３が全開放時にはドアスイッチ（ａ）１０がＯＦＦし、その際、一定時間経過すると電源が遮断でき、本装置の制御回路２５の電力消費を軽減できるという効果がある。
【００２９】
実施の形態３．
図７はこの発明の実施形態３の縦断面図、図８、図９は動作説明図、図１０は本実施形態３を示す高周波加熱装置のドア閉の状態で電源投入時の回路図である。なお、従来技術と同一又は相当部分には同じ符号を付し説明を省略する。
【００３０】
図において３１は第１のドアスイッチであるドアスイッチ（ａ）１０と直列に接続されているノーマルクローズ形の第２のドアスイッチであるドアスイッチ（ｂ）である。ドアスイッチ（ａ）１０とドアスイッチ（ｂ）３１が同時にＯＮした状態のときのみ、商用電源１３から電気回路２７に電源が供給される。８ｄは第３のレバーであるレバー（ｃ）である。
【００３１】
次に、前記のように構成された本実施形態の高周波加熱装置の動作を図１１により説明する。図１１はドアスイッチ（ａ）１０、ドアスイッチ（ｂ）３１、及びリレー２４のＯＮ／ＯＦＦ制御に関した高周波加熱装置の動作を示すフローチャートである。
まず、商用電源１３を投入する（ステップＳ５１）。このとき、ドア３は閉状態なので（ステップＳ５２）、ドアスイッチ（ａ）１０はＯＦＦ、ドアスイッチ（ｂ）３１はＯＮ、リレー２４はＯＦＦ状態である（ステップＳ５３）。閉状態のドア３を少し開けると（ステップＳ５４）、回転レバー８が軸９を中心に回転し、レバー（ｃ）８ｄがラッチスイッチ１１からはなれ、ノブ１１ａが突出してラッチスイッチ１１がＯＦＦすると同時に、副ドアスイッチ１５が接点ｂから接点ａに切り換わって商用電源１３と負荷側とを完全に切り離す。この時、レバー（ｂ）８ｃがドアスイッチ（ａ）１０からはなれ、ノブ１０ａが突出するため、ドアスイッチ（ａ）１０がＯＮし、ドアスイッチ（ｂ）３１共にＯＮ状態となるので（ステップＳ５５）、商用電源１３と制御回路２５の電源回路２７とが接続する。この接続により、制御回路２５が起動すると、ドアスイッチ検知回路２９がドアの開放を検知して、その情報をマイクロコンピュータ２６に出力し、マイクロコンピュータ２６はその情報が入力されたときリレー２４をＯＮすると共に（ステップＳ５６）、一定のタイマ時間ｔ２（例えば１０分間）を設定して（ステップＳ５７）待機する。
【００３２】
次にドア３を開放状態にすると（ステップＳ５８）、再び、回転レバー８は回転し、レバー（ｃ）８ｄがドアスイッチ（ｂ）３１のノブ３１ａを押し、ドアスイッチ（ｂ）３１がＯＦＦする（ステップＳ５９）。一方、マイクロコンピュータ２６はその状態を、ドアスイッチ検知回路２９を通して検知すると、先に設定したタイマ時間ｔ２のカウントダウンを開始する（ステップＳ６０）。このカウントダウンにより、タイマ時間ｔ２がゼロになったときは出力回路３０を介してリレー２４をＯＦＦし（ステップＳ６１）、商用電源１３と電源回路２７とを切り離して電源供給を停止する。
【００３３】
また、ドア３が開放状態にあるとき、食品を加熱庫２に入れてドア３を少し閉じると（ステップＳ６２）、ドア３の突起６がレバー（ａ）８ｂの突出部８ａを押し、回転レバー８は軸９を中心に回転し戻されると、ドアスイッチ（ｂ）３１がＯＮとなる（ステップＳ６３）。このとき、一定のタイマ時間ｔ１（例えば１０分間）を設定して待機する。そして、ドア３を全閉すると（ステップＳ６４）、レバー（ｃ）８ｄがラッチスイッチ１１のノブ１１ａを押し、一対のラッチスイッチ１１がＯＮし、副ドアスイッチ１５が接点ａから接点ｂに切り換わる。同時に、レバー（ｂ）８ｃがドアスイッチ（ａ）１０のノブ１０ａを押してドアスイッチ（ａ）１０がＯＦＦする（ステップＳ６５）。
【００３４】
一方、マイクロコンピュータ２６は、その状態を、ドアスイッチ検知回路２９を通して検知すると、先に設定したタイマ時間ｔ１のカウントダウンを開始する（ステップＳ６６）。このまま、先に設定したタイマ時間ｔ１が経過すると、タイマ時間ｔ１がゼロとなり、出力回路３０を介してリレー２４をＯＦＦし（ステップＳ６１）、商用電源１３と電源回路２７とを切り離して、電源供給を停止する。
【００３５】
そして、タイマ時間ｔ１カウントダウンの間にキー入力検知回路２８からの調理指令が入力されたときは（ステップＳ６７）、タイマ時間ｔ１のカウントダウンを停止すると共に、その指令に基づく、例えば、高周波加熱であればリレー１８とリレー２２を、出力回路３０を介してＯＮし、ランプ１６及びテーブルモータ１７に電源を供給するとともに、高周波発生源１９及びファンモータ２３に電源を印加する（ステップＳ６８）。そして調理中ドア３を開けずに（ステップＳ６９）、この高周波発生源１９の加熱調理による調理時間が経過すると、リレー１８とリレー２２をＯＦＦして調理を終了し（ステップＳ７０）、ただちにリレー２４をＯＦＦして（ステップＳ７１）、商用電源１３と電源回路２７とを切り離して電源供給を停止する。
【００３６】
また、調理中にドア３を全開すると（ステップＳ６９）、一度一定のタイマ時間ｔ３を設定して、待機する。また、回転レバー８が回転し、レバー（ｃ）８ｄがドアスイッチ（ｂ）３１のノブ３１ａを押し、ドアスイッチ（ｂ）３１がＯＦＦする（ステップＳ７２）。同時に、調理待機状態となる（ステップＳ７３）。  一方、マイクロコンピュータ２６はその状態を、ドアスイッチ検知回路２９を通して検知すると、タイマ時間ｔ３のカウントダウンを開始する（ステップＳ７４）。このまま、先に設定したタイマ時間ｔ３が経過すると、タイマ時間ｔ３がゼロとなり、出力回路を介してリレー２４をＯＦＦし（ステップＳ７５）、商用電源１３と電源回路２７とを切り離して電源供給を停止する。また、再びドア３を閉じると（ステップＳ７６）、調理が再スタート（ステップＳ７７）する。
【００３７】
以上のように、本実施形態においては、ドアスイッチ（ａ）１０とドアスイッチ（ｂ）３１を直列に接続し、ドア３の開閉状態を２つのドアスイッチを用いて検知する手段をとることにより、ドア３を開放時、ドアスイッチ（ａ）１０はＯＮしているが、ドアスイッチ（ｂ）３１がＯＦＦとなるので、その際、一定時間が経過すると電源が遮断でき、本装置の制御回路２５の電力消費を軽減できるという効果がある。
【００３８】
【発明の効果】
以上のようにこの発明によれば、この発明に係わる高周波加熱装置は、開閉するドアを有する加熱室と、この加熱室内を加熱する加熱源と、この加熱源の動作を設定するキー入力手段と、前記ドアの開成／閉塞の遷移を検出するドア開閉検出手段と、前記キー入力手段の設定に基づいて前記加熱源を制御する制御手段と、この制御手段の電源を供給する電源手段と、商用電源と前記電源手段との間に介設された電力開閉手段とを備え、前記制御手段は、電源が供給されることにより動作すると共に、前記電力開閉手段をＯＮさせる信号を出力し、所定時間、前記ドア開閉検出手段の動作状態が遷移しないときは、前記電力開閉手段をＯＦＦさせる信号を出力する構成としたので、ドア開放時に消費される制御手段の電力を軽減することができる。
【００３９】
また、ドア開閉検出手段は、ドアの開成／閉塞の遷移を検知したとき、商用電源と電源手段を接続するので、ドア開放時に消費される制御手段の電力を軽減することができる。
【００４０】
また、加熱室の扉が半開のときにＯＮとなり、前記扉が全閉、全開のときにＯＦＦとなるドアスイッチ手段と、前記ドアスイッチ手段がＯＦＦとなったときから、あらかじめ定められた時間経過後に制御回路の電源をＯＦＦとする電力開閉手段と、を備えたので、ドア開放時にドアスイッチがＯＦＦ状態となり、一定時間経過すると商用電源と制御手段の電源回路とを切断するようにしたので、ドア開放時に消費される制御手段の電力を軽減することができる。
【００４１】
また、ドアスイッチ手段は、出没自在のノブを有するドアスイッチと、
加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、を備え、前記スイッチノブ当接部は、前記スイッチノブ当接部の中間に設けられ、前記扉が半開のときに前記ノブを突出させ、前記ドアスイッチをＯＮとするための凹部と、前記扉が全開のときに前記ノブを押してＯＦＦとする押し部と、を有するので、ドア開放時に消費される制御手段の電力を軽減することができる。
【００４２】
また、ドアスイッチ手段は、出没自在のノブを有するドアスイッチと、加熱室の外部側壁に回転自在に支持され、上方に延設し、扉に当接する突出部を有する第１のレバーと、下方へ延設し前記ドアスイッチのノブを出没させるスイッチノブ当接部を有する第２のレバーを有する回転レバーと、前記スイッチノブ当接部に設けられた一対の凸部と、を備え、前記扉が半開のときに前記ノブが前記一対の凸部の間に突出し、前記ドアスイッチをＯＮとし、前記扉が全開のときに前記凸部が前記ノブを押してＯＦＦとするので、ドア開放時に消費される制御手段の電力を軽減することができる。
【００４３】
また、ドアスイッチ手段は、直列に接続され、出没自在のノブを有する第１、第２のドアスイッチと、加熱室の外部側壁に回転自在に支持され、上方に延設し、扉に当接する突出部を有する第１のレバーと、下方へ延設し前記第１のドアスイッチのノブを出没させる第２のレバーと、前記第１、第２のレバーに略垂直方向に延設し前記第２のドアスイッチのノブを出没させる第３のレバーを有する回転レバーと、を備え、前記扉が半開のときに、前記第２、第３のレバーが前記第１、第２のドアスイッチのノブが突出する位置になり、第１、第２のドアスイッチをＯＮとし、前記扉が全開のときに、前記第２のレバーが前記第１のドアスイッチのノブが突出する位置になり、第１のドアスイッチをＯＮとするとともに、前記第３のレバーが前記第２のドアスイッチのノブを押す位置になり、第２のドアスイッチをＯＦＦとするので、ドア開放時に消費される制御手段の電力を軽減することができる。
【図面の簡単な説明】
【図１】この発明の実施形態１の要部縦断面図である。
【図２】この発明の実施形態１を示す高周波加熱装置の動作説明図である。
【図３】この発明の実施形態１を示す高周波加熱装置の動作説明図である。
【図４】この発明の実施形態１を示す高周波加熱装置の動作のフローチャートである。
【図５】この発明の実施形態１を示す高周波加熱装置の動作のタイミングチャートである。
【図６】この発明の実施形態２を示す高周波加熱装置の構成及び動作説明図である。
【図７】この発明の実施形態３の要部縦断面図である。
【図８】この発明の実施形態３を示す高周波加熱装置の動作説明図である。
【図９】この発明の実施形態３を示す高周波加熱装置の動作説明図である。
【図１０】この発明の実施形態３を示す高周波加熱装置の回路図である。
【図１１】この発明の実施形態３を示す高周波加熱装置の動作のフローチャートである。
【図１２】従来の高周波加熱装置の要部縦断面図である。
【図１３】従来の高周波加熱装置の動作説明図である。
【図１４】従来の高周波加熱装置の回路図である。
【図１５】従来の高周波加熱装置の動作のフローチャートである。
【図１６】従来の高周波加熱装置の動作のタイミングチャートである。
【符号の説明】
１  本体、２  加熱室、３  ドア、５  ハンドル、６  突起、８  回転レバー、８ｅ  凹部、８ｆ、８ｇ  凸部、９  軸、１０  ドアスイッチ（ａ）、１１  ラッチスイッチ、１３  商用電源、１５  副ドアスイッチ、１８  リレー、１９  高周波発生源、２０  リレー、２１  加熱ヒータ、２２  リレー、２４  リレー、２５  制御回路、２６  マイクロコンピュータ、２７  電源回路、２８  キー入力検知回路、２９  ドアスイッチ検知回路、３０  出力回路、３１  ドアスイッチ（ｂ）。